(57)【特許請求の範囲】
【請求項１】
ボタン電池を収納する円形の電池収納部の開口部に円形の蓋体を円周方向に回転させることにより着脱可能とした電池収納構造を有する時計ケースにおいて、
前記電池収納部の開口部の内周から内方に突出する突片と、
前記蓋体の外周から外方に突出し、該蓋体を回転させることにより前記突片を挟むように該突片に係合する係合突片と、
該係合突片から前記電池収納部の底部に向かって突出するバネ部と、
前記突片と前記係合突片との係合が解除する位置に前記電池収納部の底部から前記係合突片に向かって突出し、前記バネ部に接触する突出部と、
を有することを特徴とする電池収納構造を有する時計ケース。
【請求項２】
ボタン電池を収納する円形の電池収納部の開口部に円形の蓋体を円周方向に回転させることにより着脱可能とした電池収納構造を有する時計ケースにおいて、
前記電池収納部の開口部の内周から内方に突出する突片と、
前記蓋体の外周から外方に突出し、該蓋体を回転させることにより前記突片を挟むように該突片に係合する係合突片と、
前記電池収納部の底部から該底部に対向する前記蓋体の端面に向かって突出するバネ部と、
前記蓋体の端面に設けられ、前記突片と係合突片とが係合し前記蓋体がロック状態になると前記バネ部が入り込む溝と、
を有することを特徴とする電池収納構造を有する時計ケース。
【発明の詳細な説明】
【０００１】
【発明の属する技術分野】
本発明は、ボタン電池等の電池を収納する電池収納部の開口部に取り付けられる蓋体を、取り外し易くした電池収納構造に関する。
【０００２】
【従来の技術】
一般に、ボタン電池を収納する凹状の電池収納部内には、バネ性を有する極板が設けられており、この極板のバネ圧に抗するように電池を押し込みながら蓋体を電池収納部の開口部に取り付けてロックすることにより電池を収納していた。このため、蓋体のロックを解除すると、極板のバネ圧で電池と共に蓋体が開口部から飛び出して外れるものであった。
【０００３】
【発明が解決しようとする課題】
上記従来技術においては、極板のバネ圧で電池と共に蓋体が押し出されて電池収納部の開口部から外れるものであったため、電池がセットされていない場合、極板のバネ圧が蓋体に作用せず、蓋体が取り外しにくいという課題があった。
【０００４】
特に、蓋体は、製造・組立時に、ゴミ混入を防止するため、電池をセットしない状態でも電池収納部の開口部に取り付けられており、蓋体の取り外しに時間がかかると、量産性の低下をまねくこともあった。
【０００５】
本発明は、上記従来例の課題に鑑みなされたもので、電池がセットされていなくても蓋体の取り外しが容易な電池収納構造を提供するものである。
【０００６】
【課題を解決するための手段】
本発明の電池収納構造は、電池を収納する電池収納部の開口部に蓋体を回転させることにより着脱可能とした電池収納構造において、前記電池収納部の開口部の内周から内方に突出する突片と、前記蓋体の外周から外方に突出し、該蓋体を回転させることにより前記突片を挟むように該突片に係合する係合突片と、該係合突片から前記電池収納部の底部に向かって突出するバネ部と、前記突片と前記係合突片との係合が解除する位置に前記電池収納部の底部から前記係合突片に向かって突出し、前記バネ部に接触する突出部と、を有するものである。
【０００７】
また、本発明の電池収納構造は、電池を収納する電池収納部の開口部に蓋体を回転させることにより着脱可能とした電池収納構造において、前記電池収納部の開口部の内周から内方に突出する突片と、前記蓋体の外周から外方に突出し、該蓋体を回転させることにより前記突片を挟むように該突片に係合する係合突片と、前記電池収納部の底部から該底部に対向する前記蓋体の端面に向かって突出するバネ部と、前記蓋体の端面に設けられ、前記突片と係合突片とが係合し前記蓋体がロック状態になると前記バネ部が入り込む溝と、を有するものでもある。
【０００８】
【発明の実施の形態】
本発明の電池収納構造においては、蓋体を電池収納部の開口部に取り付けるための係合突片に、電池収納部の底部に向かって突出するバネ部を設けている。このバネ部は、電池の有無にかかわらず、電池収納部の底部の突出部に当接して蓋体を外す方向に付勢する。このため、蓋体は電池の有無に関係なく、電池収納部の突片と蓋体の係合突片との係合が解除されると蓋体を開口部から押し出して、取り外し易い状態にする。
【０００９】
また、電池収納部の底部に設けられている突出部は、突片と係合突片との係合が解除されるときのみバネ部に接触するものであり、蓋体を取り外すとき以外にバネ部が収縮したり、そのバネ圧が蓋体に作用しないように構成されている。
【００１０】
一方、バネ部は電池収納部の内面に設けることもでき、この場合には、バネ部のバネ圧が蓋体の端面に作用してこれを開口部から押し出して外し易くしている。
【００１１】
また、バネ部を電池収納部側に設けた場合には、バネ部が接触する蓋体の端面に溝を設け、蓋体がロック状態になるとこの溝内にバネ部が入り込み、これによりバネ部がフリーとなり、蓋体を取り外すとき以外にバネ部が収縮したり、そのバネ圧が蓋体に作用しないように構成している。
【００１２】
【実施例】
図１は本発明の一実施例に係る電池収納構造を示す断面図、図２（ａ）、（ｂ）及び（ｃ）は図１に示す蓋体の平面図、正面図及び底面図、図３及び図４は図１に示す電池収納構造の要部拡大断面図、図５及び図６は図３及び図４に示す電池収納構造の要部の平面透視図である。
【００１３】
図１において２は凹状をなす電池収納部であり、本実施例においては時計ケース等のケース４の一部に形成されている。即ち、このケース１は、下ケース６と上ケース８とからなり、上ケース８に形成された穴が電池収納部２の開口部２ａとなり、下ケース６の内面が電池収納部２の底部２ｂとなるように構成されている。この電池収納部２の開口部２ａの内周面には、内方に突出する突片２ｃが所定の間隔をあけて複数設けられている。この突片２ｃには、図３及び図４に示すように後述する蓋体のロック位置に対応する位置に切欠部２ｄが設けられている。また、この電池収納部２の底部２ｂには、開口部２ａに向かって突出する突出部２ｅが設けられている。
【００１４】
図１及び図２において、１０は蓋体であり、電池収納部２の開口部２ａに適合する有底の円筒形状をなすものである。この蓋体１０の底部１０ａの外周はフランジ状に外方に突出した第１の係合突片１０ｂを形成しており、更に、蓋体１０の外周には第１の係合突片１０ｂに対して軸方向に突片２ｃの厚さに対応する一定の間隔をあけて形成された第２の係合突片１０ｃが径方向に突片２ｃの長さに対応する一定の間隔を開けて複数形成されている。この第２の係合突片１０ｃの第１の係合突片１０ｂに対向する面上には、突片２ｃの切欠部２ｄに適合する突起１０ｄが設けられている。また、第２の係合突片１０ｃの電池収納部２の底部２ｂに対向する面上には、バネ部１０ｅが突設されている。尚、本実施例においては、第１の係合突片１０ｂと、第２の係合突片１０ｃと、その第１の係合突片１０ｂと第２の係合突片１０ｃにより突片２ｃの厚さに略等しい間隔と、により係合突片を構成している。
【００１５】
次に上記構成からなる電池収納部２の開口部２ａに蓋体１０を取り付けるときの各部の状態と取り外すときの各部の状態を説明する。蓋体１０を電池収納部２の開口部２ａに取り付けるときには、蓋体１０の第２の係合突片１０ｃが電池収納部２の突片２ｃの間に位置するように蓋体１０を開口部２ａに嵌める。このときの第２の係合突片１０ｃと突片２ｃは、図４及び図６に示すロック解除時と同様の位置関係になる。このときに蓋体１０のバネ部１０ｅは電池収納部２の突出部２ｅに接触し、蓋体１０を外方向に押圧する状態になっている。このため、蓋体１０を電池収納部２に取り付けるには、蓋体１０をバネ部１０ｅに抗するように軸方向に押圧しながら回転させる。これにより、電池収納部２の突片２ｃを蓋体１０の第１及び第２の係合突片１０ｂ、１０ｃが挟むようにして係合する。そして、蓋体１０がロック位置まで回転されると、図３及び図５に示すように、第２の係合突片１０ｃ上の突起１０ｄが突片２ｃの切欠部２ｄ内に入り込んでクリック感を出すと共に蓋体１０の回転を止めて、第１及び第２の係合突片１０ｂ、１０ｃと突片２ｃとの係合状態を保持する。このときに、バネ部１０ｅは、突出部２ｅから外れてフリー状態となる。このため、バネ部１０ｅの力が蓋体１０に作用せず、また、バネ部１０ｅも長期間圧縮された状態に保持されないのでヘタリが生じてバネ圧が低下することもない。
【００１６】
一方、上記のようにロック状態になった蓋体１０を、ロック時とは逆の方向に回転させてロック解除すると、図４及び図６に示すように、第２の係合突片１０ｃ上の突起１０ｄは突片２ｃの切欠部２ｄから外れ、更に、第２の係合突片１０ｃが突片２ｃの間に達して第１及び第２の係合突片１０ｂ、１０ｃと凸片２ｃとの係合が解除される。このときにバネ部１０ｅは、突出部２ｅ上に乗り上げて圧縮されており、第１及び第２の係合突片１０ｂ、１０ｃと突片２ｃとの係合が解除されるとバネ圧で蓋体１０を外す方向に押圧する。これにより、蓋体１０は電池収納部２の開口部２ａから飛び出し、取り外し易い状態になる。
【００１７】
尚、本実施例におけるバネ部１０ｅは、プラスチック等からなる蓋体１０に一体に成形されており、しかも突出部２ｅに乗り上げ易くするために突出部２ｅの縁に面する角度が鈍角をなすように第２の係合突片１０ｃの面上から斜めに突出している。また、このバネ部１０ｅは、蓋体１０とは別部材で構成しても良いものであり、蓋体１０の成形時に金属板等をインサート成形することにより形成しても良い。更に、このバネ部１０ｅを複数設けても良いが、蓋体１０の一部が電池収納部２の開口部２ａから飛び出すだけで蓋体１０の取り外しは容易になるので、１箇所に設けるだけでも十分取り外し易くすることができる。
【００１８】
また、本実施例におけるバネ部１０ｅは、ロック時にはフリー状態となっているが、常時電池収納部２の底部２ｂ等に当接するようにしても良い。
【００１９】
上記実施例におけるバネ部１０ｅは蓋体１０に設けられていたが、このバネ部を電池収納部２側に形成することもできる。即ち、この場合には、図７及び図８に示すように、電池収納部２の底部２ｂに開口部２ａの方向に向かって山形に屈曲する弾性ピン等からなるバネ部２ｆを設け、このバネ部２ｆで図９に示す蓋体１０の電池収納部２の底部２ｂに対向する端面１０ｆを押圧するように構成する。これにより、蓋体１０の第１及び第２の係合突片１０ｂ、１０ｃと電池収納部２の突片２ｃとの係合が解除されると、蓋体１０はバネ部２ｆにより外れる方向に押し出される。
【００２０】
また、図９に示すように、蓋体１０の端面１０ｆには溝１０ｇが設けられており、突起１０ｄが切欠部２ｅに入り込んで蓋体１０がロック状態になると、溝１０ｇがバネ部２ｆに対面する位置に達するように配設されている。このため、蓋体１０がロック状態になっているときには、バネ部２ｆが溝１０ｇ内に入り込むため、バネ部２ｆのバネ圧が蓋体１０に作用せず、また、バネ部２ｆも圧縮されずにフリーとなってヘタリを防止することができる。
【００２１】
尚、この実施例においてもバネ部２ｆを底部２ｂと一体に形成してもよいし、別体としても良い。また、このバネ部２ｆも１箇所配設するだけで十分な効果を得ることができるが、必要に応じて複数設けても良いものである。
【００２２】
【発明の効果】
本発明によれば、電池がセットされていない場合であっても、蓋体がバネ部により外れる方向に付勢されているので、蓋体と電池収納部との係合が解除されると蓋体が電池収納部の開口部から飛び出し、容易に取り外すことができる。
【００２３】
また、蓋体を付勢するバネ部は、蓋体がロック状態になると突出部から外れたり溝に入り込むことにより圧縮されなくなるので、そのバネ圧が蓋体に作用することがなくなり、バネ部が長期間圧縮されてヘタリが生じ、バネ圧の低下をまねくことを防ぐことができる。
【００２４】
更に、本発明によれば、蓋体が飛び出して簡単に蓋体を外すことができるので、蓋体を取り外すためにわざわざ電池が収納されている時計等重量のある電子機器本体を横にしたり持ち上げる必要がなくなる。
【図面の簡単な説明】
【図１】本発明の一実施例に係る電池収納構造を示す断面図である。
【図２】図１に示す蓋体を示す図面であり、（ａ）は平面図、（ｂ）は正面図、（ｃ）は底面図である。
【図３】図１に示す電池収納構造のロック時における要部拡大断面図である。
【図４】図１に示す電池収納構造のロック解除時における要部拡大断面図である。
【図５】図３に示す電池収納構造の要部の平面透視図である。
【図６】図４に示す電池収納構造の要部の平面透視図である。
【図７】図１に示す電池収納構造を一部変更した実施例を示す電池収納部の平面図である。
【図８】図７に示すバネ部の断面図である。
【図９】図７に示す電池収納部に取り付けられる蓋体を示す図面であり、（ａ）は正面図、（ｂ）は底面図である。
【符号の説明】
２      電池収納部
２ａ    開口部
２ｂ    底部
２ｃ    突片
２ｄ    切欠部
２ｅ    突出部
２ｆ    バネ部
１０    蓋体
１０ａ  底部
１０ｂ  第１の係合突片
１０ｃ  第２の係合突片
１０ｄ  突起
１０ｅ  バネ部
１０ｆ  端面
１０ｇ  溝
【図１】
0003673373.tif 000002
【図２】
0003673373.tif 000003
【図３】
0003673373.tif 000004
【図４】
0003673373.tif 000005
【図５】
0003673373.tif 000006
【図６】
0003673373.tif 000007
【図７】
0003673373.tif 000008
【図８】
0003673373.tif 000009
【図９】
0003673373.tif 000010